(57)【要約】【課題】汎用性の高いパターン検知が可能な通信装置、通信方法及び通信システムを提供すること【解決手段】画像を表示する表示部と、所定の文字列または画像に対応する特定パターンの情報を記憶する記憶部と、表示部に表示される画像をキャプチャーした画像に関する情報を取得する取得部と、取得部にて取得した情報を解析する解析部と、解析部による解析結果と記憶部に記憶されている情報とを比較する比較部と、比較部による比較結果を所定の通知先に通知する通知部と、を有することを特徴とする通信装置。【選択図】      図１
2015056136.tif 000002
【特許請求の範囲】
【請求項１】
画像を表示する表示部と、
所定の文字列または画像に対応する特定パターンの情報を記憶する記憶部と、
前記表示部に表示される画像をキャプチャーした画像に関する情報を取得する取得部と、
前記取得部にて取得した情報を解析する解析部と、
前記解析部による解析結果と前記記憶部に記憶されている情報とを比較する比較部と、
前記比較部による比較結果を所定の通知先に通知する通知部と、を有することを特徴とする通信装置。
【請求項２】
前記解析部は、画像認識機能とＯＣＲ機能の少なくともいずれか一方を有する、請求項１に記載の通信装置。
【請求項３】
前記通知部は、前記解析結果から前記記憶部に記憶されている特定パターンに対応するパターンが検知された場合に、前記比較結果として、前記解析結果から前記記憶部に記憶されている特定パターンに対応するパターンが検知された旨を通知する、請求項１又は２に記載の通信装置。
【請求項４】
前記通知部は、前記解析結果から前記記憶部に記憶されている特定パターンに対応するパターンが検知された場合に、前記比較結果として、前記取得した画像に関する情報を送信する、請求項１乃至３のいずれか一項に記載の通信装置。
【請求項５】
前記表示部が活性状態であるか否か及び当該通信システムが操作されているか否かの少なくともいずれか一方を判定する取得判定部をさらに有し、
前記取得部は、前記取得判定部による判定の結果、前記表示部が活性状態である又は当該通信システムが操作されていると判定された場合に前記表示部に表示される画像をキャプチャーした画像に関する情報を取得する、請求項１乃至４のいずれか一項に記載の通信装置。
【請求項６】
前記解析結果から前記記憶部に記憶されている特定パターンに対応するパターンが検知された場合に当該通信システムの利用を制限する利用制限部をさらに有する、請求項１乃至５のいずれか一項に記載の通信装置。
【請求項７】
通信装置を用いた通信方法であって、
表示部に画像を表示する表示ステップと、
所定の文字列または画像に対応する情報を記憶する記憶ステップと、
前記表示ステップにおいて表示される画像をキャプチャーした画像に関する情報を取得する取得ステップと、
前記取得ステップにおいて取得した情報を解析する解析ステップと、
前記解析ステップにおける解析結果と前記記憶ステップにおいて記憶した情報とを比較する比較ステップと、
前記比較ステップにおける比較結果を所定の通知先に通知する通知ステップと、を有することを特徴とする通信方法。
【請求項８】
前記解析ステップでは、画像認識機能とＯＣＲ機能の少なくともいずれか一方を実行する、請求項７に記載の通信方法。
【請求項９】
第１の通信装置と、前記第１の通信装置とは異なる特定パターン通知装置とを含む通信システムであって、
前記第１の通信装置は、画像を表示する表示部と、前記表示部に表示される画像をキャプチャーした画像に関する情報を取得する取得部と、を備え、
前記特定パターン通知装置は、所定の文字列または画像に対応する特定パターンの情報を記憶する記憶部と、前記取得部にて取得した情報を解析する解析部と、前記解析部による解析結果と前記記憶部に記憶されている情報とを比較する比較部と、前記比較部による比較結果を所定の通知先に通知する通知部と、を備えることを特徴とする通信システム。
【請求項１０】
前記通知部は、前記比較結果を前記第１の通信装置とは異なる第２の通信装置に通知し、
前記第２の通信装置は、前記通知部からの通知に基づいて前記第１の通信装置に利用制限命令を送信するか否かの判断を行う利用制限判断部をさらに有し、
前記第１の通信装置は、前記第２の通信装置からの利用制限命令を受信して前記第１の通信装置の利用制限を行う利用制限部を有する、請求項９に記載の通信システム。
【発明の詳細な説明】
【技術分野】
【０００１】
本発明は、パターン検知システムを有する通信装置、通信方法及び通信システムに関する。
【背景技術】
【０００２】
近年、スマートフォン等の通信装置の普及に伴い、通信装置上でのアプリケーションの利用が増加している。これに伴いコミュニケーション系のアプリケーションの利用を介して未成年者が暴行される等の事件が生じており、対策が望まれている。対策の一つとして、通信装置の使用状況を知りたい場合に通信装置の使用状況に関するテキスト情報を暗号化して通信するアプリケーションがある。しかし、これには、画像中の文字情報の取得が困難である、暗号化のための特別なプログラムが必要となる、処理が複雑化する、といった問題がある。
【０００３】
また、特許文献１には、入力ＵＲＬ（Uniform Resource Locator）が禁止サイトリスト内の禁止サイト又は閲覧禁止ページの文字列に該当する場合、当該閲覧禁止ページの表示画面の画面表示を制限したり、表示画面に対する操作を制限したりするアクセス制限プログラムが開示されている。また、閲覧禁止ページの表示画面のハードコピーを取得した後、そのハードコピーをウィンドウタイトルのログ情報として管理サーバに送信するプログラムも開示されている。
【０００４】
特許文献２には、監視対象用端末毎に、アクセスされた複数のＷｅｂサイトのアドレスを蓄積するアクセス履歴管理サーバが開示されている。
【０００５】
特許文献３には、着信があると発信元の他の通信端末のアドレス情報が登録されているか否かを判断し、当該他の通信端末との通信履歴情報を取得する携帯型通信装置が開示されている。当該携帯型通信装置においては、当該他の通信端末のアドレス情報が登録されていない場合には、予め指定されたアドレス先に上記取得した情報を送信する。
【０００６】
特許文献４には、動画を構成している静止画をストリーミング情報の時系列に沿って抽出し、各シーンを比較用データベースに格納された不適切画像と比較するストリーミング情報の再生制御方法が開示されている。当該方法においては、不適切なシーンがあった場合には、他の適切なシーンと置換することで、不適切画像のフィルタリングを行う。
【０００７】
特許文献５には、有害とされるキーワードを保持するデータベースと、送受信するコンテンツ内容から有害とされるキーワード有無を確認するコントローラを有する携帯端末が開示されている。これにより、携帯端末上で送受信される電子メールや、閲覧されるＷｅｂサイトのコンテンツに子供にとって有害な情報があった場合に、当該情報を遮断することができる。
当該携帯端末においては、有害情報の送受信が行われることを端末外に通知する機能を有する。
【先行技術文献】
【特許文献】
【０００８】
【特許文献１】特開２０１２−０７３９３２号公報
【特許文献２】特開２０１２―０７３８１８号公報
【特許文献３】特開２０１０―０５６５８４号公報
【特許文献４】特開２００９−０４９９４９号公報
【特許文献５】特開２００７−２９３３９７号公報
【発明の概要】
【発明が解決しようとする課題】
【０００９】
しかし、関連技術における通信装置には以下の問題点があった。例えば特許文献５においては、携帯端末上で送受信される電子メールや、閲覧されるＷｅｂサイトのコンテンツに含まれるキーワードの有無を確認している。しかし、スマートフォン等の通信装置上で利用されるアプリケーションには極めて多くの種類があり、特許文献５の方法では汎用的な対策にはならない。特許文献１乃至４においても、当該問題を解決する手段は開示されていない。
【００１０】
本発明は、上述した課題を解決する通信装置、通信方法及び通信システムを提供することを目的とする。
【課題を解決するための手段】
【００１１】
本発明の通信装置は、画像を表示する表示部と、所定の文字列または画像に対応する特定パターンの情報を記憶する記憶部と、表示部に表示される画像をキャプチャーした画像に関する情報を取得する取得部と、取得部にて取得した情報を解析する解析部と、解析部による解析結果と記憶部に記憶されている情報とを比較する比較部と、比較部による比較結果を所定の通知先に通知する通知部と、を有することを特徴とする。
【００１２】
本発明の通信方法は、通信装置を用いた通信方法であって、表示部に画像を表示する表示ステップと、所定の文字列または画像に対応する情報を記憶する記憶ステップと、表示ステップにおいて表示される画像をキャプチャーした画像に関する情報を取得する取得ステップと、取得ステップにおいて取得した情報を解析する解析ステップと、解析ステップにおける解析結果と記憶ステップにおいて記憶した情報とを比較する比較ステップと、比較ステップにおける比較結果を所定の通知先に通知する通知ステップと、を有することを特徴とする。
【００１３】
本発明の通信システムは、第１の通信装置と、第１の通信装置とは異なる特定パターン通知装置とを含む通信システムであって、第１の通信装置は、画像を表示する表示部と、表示部に表示される画像をキャプチャーした画像に関する情報を取得する取得部と、を備え、特定パターン通知装置は、所定の文字列または画像に対応する特定パターンの情報を記憶する記憶部と、取得部にて取得した情報を解析する解析部と、解析部による解析結果と記憶部に記憶されている情報とを比較する比較部と、比較部による比較結果を所定の通知先に通知する通知部と、を備えることを特徴とする。
【発明の効果】
【００１４】
本発明によれば、汎用性の高いパターン検知が可能な通信装置、通信方法及び通信システムを提供することができる。
【図面の簡単な説明】
【００１５】
【図１】第１の実施形態にかかる通信装置１００の構成を示す図である。
【図２】第１の実施形態にかかる通信装置１００の動作を説明するフロー図である。
【図３】第２の実施形態にかかる通信装置２００の構成を示す図である。
【図４】第３の実施形態にかかる通信装置３００の構成を示す図である。
【図５】第４の実施形態にかかる通信システム４００の構成を示す図である。
【図６】第４の実施形態にかかる通信システム４００ａの構成を示す図である。
【図７】第５の実施形態にかかる通信システム５００の構成を示す図である。
【図８】第５の実施形態にかかる通信システム５００の動作を説明するフロー図である。
【発明を実施するための形態】
【００１６】
［第１の実施形態］
図１は、第１の実施形態にかかる通信装置１００の構成を示す図である。通信装置１００は、表示部１、記憶部２、取得部３、解析部４、比較部５、通知部６を有している。
【００１７】
表示部１は、ＧＰＵ（Graphics Processing Unit）（図示せず）により生成された画像情報に基づく画像を表示する。
【００１８】
記憶部２は、所定の文字列または画像に対応する特定パターンの情報（以下、特定パターンとする）を記憶する。記憶部２は、例えば特定文字列ＤＢ（データベース）、特定画像パターンＤＢを有する。特定文字列ＤＢは、特定パターンとして認識させたい特定文字列を格納するデータベースである。特定画像パターンＤＢは、特定パターンとして認識させたい画像パターンを格納するデータベースである。
【００１９】
取得部３は、表示部１に表示される画像（文字列を含む）をキャプチャーした画像（スクリーンショット）に関する情報を任意のタイミングで取得する。スクリーンショットの保存形式としては、一般的に知られている形式（．ｐｎｇや．ｂｍｐ）を用いる。
【００２０】
解析部４は、取得部３において取得した画像を解析する。解析部４は、画像認識機能とＯＣＲ（Optical Character Recognition）機能の少なくともいずれかを有する。画像認識機能は、スクリーンショットの中の画像を認識する。ＯＣＲ機能は、スクリーンショットの中の文字列を認識する。画像認識技術及びＯＣＲ技術には、一般的な技術が用いられる。
【００２１】
比較部５は、解析部４による解析結果と記憶部２に記憶されている特定パターンとを比較する。
【００２２】
通知部６は、比較部５による比較結果を所定の通知先に通知する。通知内容としては、スクリーンショットの解析結果と記憶部２に記憶された特定パターンとが一致する旨等、スクリーンショットから記憶部２に記憶されている特定パターンに対応するパターンが検知された旨が考えられる。また、取得したスクリーンショットに関する情報を送信してもよい。
【００２３】
図２を用いて、通信装置１００の動作を説明する。
【００２４】
まず、取得部３は、表示部１に表示されている画像のスクリーンショットに関する情報を任意のタイミングで取得する（ステップＳ１）。ステップＳ１にてスクリーンショットに関する情報を取得することができた場合、取得した情報を解析部４に送信する。スクリーンショットに関する情報を受信した解析部４は、画像認識機能及びＯＣＲ機能の少なくともいずれかを利用してそのスクリーンショットに関する情報を解析する（ステップＳ２）。解析部４は、ステップＳ２における解析結果を比較部５に送信する。比較部５では、解析部４から受信した解析結果と記憶部２に記憶されている特定パターンとを比較する（ステップＳ３）。通知部６は、所定の通知先にステップＳ３における比較結果を通知する（ステップＳ４）。そして、動作を終了する。
【００２５】
本実施形態における通信装置１００では、取得部３が表示部１に表示されている画像のスクリーンショットに関する情報を任意のタイミングで取得する。そして、比較部５が、取得した情報の解析結果と予め記憶されている特定パターンとを比較することで、スクリーンショットに対して特定パターンの検知を行う。これにより、汎用性の高いパターン検知が可能な通信装置を実現することができる。
【００２６】
ステップＳ４において通知部６は、ステップＳ３における比較の結果、解析結果と記憶部２に記憶されている特定パターンとが一致した場合等、スクリーンショットから記憶部２に記憶されている特定パターンに対応するパターンが検知された場合に通知をしてもよい。
【００２７】
また、スクリーンショットに関する情報には、表示部に表示された画像に関する情報のほか、表示部に表示される前のＧＰＵにより生成された画像情報を含むことができる。
【００２８】
［第２の実施形態］
図３は、第２の実施形態にかかる通信装置２００の構成を示す図である。通信装置２００は、第１の実施形態における通信装置１００において、さらに取得判定部７を有する構成である。
【００２９】
取得判定部７は、取得（キャプチャー）対象となっている表示画面が活性状態（アクティブ）であるか否か、または通信装置２００が操作者によって操作されている状態であるか否かを判定する。
【００３０】
取得部３は、取得判定部７の判定結果に基づいてスクリーンショットに関する情報を取得する。すなわち、キャプチャー対象となっている表示画面がアクティブであるか、操作者によって通信装置２００が操作されている状態である場合にスクリーンショットに関する情報を取得する。
【００３１】
その他の構成は、通信装置１００と同様である。
【００３２】
本実施形態にかかる通信装置２００によれば、通信装置２００が使用されている際のスクリーンショットを取得することができる。すなわち、任意のタイミングで取得する場合と比較して、効率的にスクリーンショットを取得することができる。
【００３３】
［第３の実施形態］
図４は、第３の実施形態にかかる通信装置３００の構成を示す図である。通信装置３００は、第１または２の実施形態にかかる通信装置１００、２００において、さらに利用制限部８を有する。図４は、第１の実施形態にかかる通信装置１００に利用制限部８を設けた構成を示している。
【００３４】
利用制限部８は、比較部６における比較の結果スクリーンショットから特定パターンを検知した場合に、通信装置３００の利用を制限する。通信装置３００の利用を制限する方法としては、制限対象となる機能にロックをかける等が考えられる。
【００３５】
本実施形態にかかる通信装置３００では、スクリーンショットから特定パターンを検知した際に所定の通知先に通知するだけでなく、通信装置３００の利用を制限する。これにより、例えば未成年者が未成年者に有害な情報を閲覧していた場合であって、スクリーンショットから有害な情報として設定された特定パターンに対応するパターンを検知した場合には、保護者等に通知するだけでなく、未成年者による通信装置の利用を制限することができる。
【００３６】
［第４の実施形態］
図５は、第４の実施形態にかかる通信システム４００の構成を示す図である。通信システム４００では、特定パターン通知装置２０が第１乃至３の実施形態にかかる通信装置１００、２００、３００の有する表示部１、取得部３以外の構成を有する。図５では、特定パターン通知装置２０が第１の実施形態にかかる通信装置１００の有する表示部１、取得部３以外の構成を有する。表示部１と取得部３は、通信装置１０が備えている。
【００３７】
通信装置１０としては、携帯端末やパーソナルコンピュータ等が考えられる。表示部１、取得部３の構成は、第１の実施形態におけるそれぞれの構成と同様である。
【００３８】
特定パターン通知装置２０は、記憶部２、解析部４、比較部５、通知部６ａを有する。記憶部２、解析部４、比較部５の構成は、第１の実施形態におけるそれぞれの構成と同様である。
【００３９】
通知部６ａは、通知履歴ＤＢ、通知先ＤＢを有する。通知履歴ＤＢは、スクリーンショットから特定パターンを検知した際通知を行うが、その履歴を格納するデータベースである。通知先ＤＢは、特定パターンの検知対象となる通信装置（通知元、図４では通信装置１０）と当該通信装置の特定パターンの検知結果を通知する他の通信装置（通知先）の電話番号やメールアドレス等とを対応付けて格納するデータベースである。
【００４０】
本実施形態にかかる通信システム４００によれば、通信装置１０の負荷を減らすことができる。また、一つの特定パターン通知装置に対して複数の通信装置を接続することができる。これにより、例えば複数の従業員の通信装置の利用状況を把握する際に当該通信システムを適用することができる。
【００４１】
図６に示すように、特定パターン通知装置２０の解析部４、比較部５、通知部６ａをそれぞれ別々の装置である解析装置４０、比較装置５０、通知装置６０に備えた通信システム４００ａとすることもできる。
【００４２】
［第５の実施形態］
図７は、第５の実施形態にかかる通信システム５００の構成を示す図である。通信システム５００は、第４の実施形態における通信システム４００（図５）に通信装置１１（第２の通信装置）を加え、通信装置１０（第１の通信装置）に利用制限部８を設けた構成である。
【００４３】
利用制限部８は、後述の利用制限判断部９からの利用制限命令に基づいて通信装置１０の利用を制限する。通信装置１０の利用を制限する方法としては、制限対象となる機能にロックをかける等が考えられる。
【００４４】
通信装置１１は、通信装置１０とは別の装置であり、利用制限判断部９を有する。
【００４５】
利用制限判断部９は、特定パターン通知装置２０から通信装置１０の識別情報（通信装置１０の電話番号や個体識別番号等）及びスクリーンショットに関する情報の通知を受け、通信装置１０の利用制限部８に利用制限命令を送信するか否かの判断を行う。そして、利用制限命令を送信すると判断した場合には、通信装置１０の利用制限部８に利用制限命令を送信する。すなわち、通信装置１１の使用者が通信装置１０に対して利用制限をかけることができる。
【００４６】
図８を用いて、具体的な利用例に沿って通信システム５００の動作を説明する。ここでは、未成年者が通信装置１０を使用し、当該未成年者の保護者が通信装置１１を使用するケースとする。特定パターン通知装置２０の記憶部２に記憶されている特定パターンとしては、未成年者に有害な情報が考えられる。
【００４７】
未成年者が通信装置１０のコミュニケーション系のアプリケーションで未成年者に有害な情報をやり取りしているとする。取得部３は、その際に表示部１に表示されている画像のスクリーンショットに関する情報を取得する（ステップＳ１１）。通信装置１０の通信部（図示せず）は、当該スクリーンショットを取得した通信装置（図７では通信装置１０）の識別情報及びステップＳ１１にて取得したスクリーンショットに関する情報を特定パターン通知装置２０に送信する（ステップＳ１２）。特定パターン通知装置２０の解析部４は、通信装置１０から受信したスクリーンショットに関する情報を解析し（ステップＳ１３）、解析結果を比較部５に送信する。比較部５は、解析部４から受信した解析結果と記憶部２に記憶されている特定パターン（未成年者に有害な情報）とを比較する（ステップＳ１４）。比較部５は、ステップＳ１４における比較の結果スクリーンショットから特定パターンに対応するパターンが検知された場合、すなわち、スクリーンショットが未成年に有害な情報に該当する場合、通知部６ａに比較結果を送信する。通知部６ａは、通信装置１０から受信した通信装置１０の識別情報に基づいて、通知先ＤＢから通知先（図７では通信装置１１）に関する情報を取得する。通知部６ａは、通信装置１１に比較結果として通信装置１０の識別情報及びスクリーンショットに関する情報を送信する（ステップＳ１５）。通知部６ａは、当該通知の履歴に関する情報を通知履歴ＤＢに保存する。通信装置１１は、特定パターン通知装置２０から通信装置１０の識別情報及びスクリーンショットに関する情報を受信し、通信装置１０の利用を制限するか否か判断する（ステップＳ１６）。利用制限判断部９は、ステップＳ１６にて利用を制限すると判断した場合（ステップＳ１６でｙｅｓ）、通信装置１０の利用制限部８に対して利用制限命令を送信する（ステップＳ１７）。
【００４８】
通信装置１１は、特定パターン通知装置２０の通知部６ａにアクセスすることにより、特定パターン通知装置２０から通信装置１１への通知の履歴を確認することができる。
【００４９】
本実施形態にかかる通信システム５００では、通信装置１１の利用制限判断部９が、特定パターン通知装置２０から受信した通信装置１０の識別情報及びスクリーンショットに関する情報に基づいて、通信装置１０の利用制限部８に利用制限命令を送信するか否かの判断を行う。そして、利用制限命令を送信すると判断した場合に通信装置１０の利用制限部８に対して利用制限命令を送信する。これにより、通信装置１１の使用者である保護者が未成年者の使用する通信装置１０に対して利用制限をかけることができ、犯罪を未然に防ぐことができる。
【００５０】
ステップＳ１５において通知部６ａは、通信装置１１に通信装置１０の識別情報及びスクリーンショットに関する情報を送信するが、スクリーンショットから特定パターンに対応するパターンが検知された旨を通知してもよい。
【００５１】
以上、本発明の実施形態について説明したが、本発明は、上記実施形態に限定されるものではなく、本発明の趣旨を逸脱しない限りにおいて、他の変形例、応用例を含むことは言うまでもない。
【００５２】
上記の実施形態の一部又は全部は、以下のようにも記載されうるが、以下には限られない。
【００５３】
（付記１）
画像を表示する表示部と、
所定の文字列または画像に対応する特定パターンの情報を記憶する記憶部と、
前記表示部に表示される画像をキャプチャーした画像に関する情報を取得する取得部と、
前記取得部にて取得した情報を解析する解析部と、
前記解析部による解析結果と前記記憶部に記憶されている情報とを比較する比較部と、
前記比較部による比較結果を所定の通知先に通知する通知部と、を有することを特徴とする通信装置。
【００５４】
（付記２）
前記解析部は、画像認識機能とＯＣＲ機能の少なくともいずれか一方を有する、付記１に記載の通信装置。
【００５５】
（付記３）
前記通知部は、前記解析結果から前記記憶部に記憶されている特定パターンに対応するパターンが検知された場合に、前記比較結果として、前記解析結果から前記記憶部に記憶されている特定パターンに対応するパターンが検知された旨を通知する、付記１又は２に記載の通信装置。
【００５６】
（付記４）
前記通知部は、前記解析結果から前記記憶部に記憶されている特定パターンに対応するパターンが検知された場合に、前記比較結果として、前記取得した画像に関する情報を送信する、付記１乃至３のいずれか一項に記載の通信装置。
【００５７】
（付記５）
前記表示部が活性状態であるか否か及び当該通信装置が操作されているか否かの少なくともいずれか一方を判定する取得判定部をさらに有し、
前記取得部は、前記取得判定部による判定の結果、前記表示部が活性状態である又は当該通信装置が操作されていると判定された場合に前記表示部に表示される画像をキャプチャーした画像に関する情報を取得する、付記１乃至４のいずれか一項に記載の通信装置。
【００５８】
（付記６）
前記解析結果から前記記憶部に記憶されている特定パターンに対応するパターンが検知された場合に当該通信装置の利用を制限する利用制限部をさらに有する、付記１乃至５のいずれか一項に記載の通信装置。
【００５９】
（付記７）
通信装置を用いた通信方法であって、
表示部に画像を表示する表示ステップと、
所定の文字列または画像に対応する情報を記憶する記憶ステップと、
前記表示ステップにおいて表示される画像をキャプチャーした画像に関する情報を取得する取得ステップと、
前記取得ステップにおいて取得した情報を解析する解析ステップと、
前記解析ステップにおける解析結果と前記記憶ステップにおいて記憶した情報とを比較する比較ステップと、
前記比較ステップにおける比較結果を所定の通知先に通知する通知ステップと、を有することを特徴とする通信方法。
【００６０】
（付記８）
前記解析ステップでは、画像認識機能とＯＣＲ機能の少なくともいずれか一方を実行する、付記７に記載の通信方法。
【００６１】
（付記９）
前記通知ステップでは、前記解析結果から前記記憶ステップにおいて記憶した特定パターンに対応するパターンが検知された場合に、前記比較結果として、前記解析結果から前記記憶ステップにおいて記憶した特定パターンに対応するパターンが検知された旨を通知する、付記７又は８に記載の通信方法。
【００６２】
（付記１０）
前記通知ステップでは、前記解析結果から前記記憶ステップにおいて記憶した特定パターンに対応するパターンが検知された場合に、前記取得した画像に関する情報を送信する、付記７乃至９のいずれか一項に記載の通信方法。
【００６３】
（付記１１）
前記表示部が活性状態であるか否か及び当該通信装置が操作されているか否かの少なくともいずれか一方を判定する取得判定ステップをさらに有し、
前記取得ステップでは、前記取得判定ステップによる判定の結果、前記表示部が活性状態である又は当該通信装置が操作されていると判定された場合に前記表示部に表示される画像をキャプチャーした画像に関する情報を取得する、付記７乃至１０のいずれか一項に記載の通信方法。
【００６４】
（付記１２）
前記解析結果から前記記憶ステップにおいて記憶した特定パターンに対応するパターンが検知された場合に当該通信装置の利用を制限する利用制限ステップをさらに有する、付記７乃至１１のいずれか一項に記載の通信方法。
【００６５】
（付記１３）
第１の通信装置と、前記第１の通信装置とは異なる特定パターン通知装置とを含む通信システムであって、
前記第１の通信装置は、画像を表示する表示部と、前記表示部に表示される画像をキャプチャーした画像に関する情報を取得する取得部と、を備え、
前記特定パターン通知装置は、所定の文字列または画像に対応する特定パターンの情報を記憶する記憶部と、前記取得部にて取得した情報を解析する解析部と、前記解析部による解析結果と前記記憶部に記憶されている情報とを比較する比較部と、前記比較部による比較結果を所定の通知先に通知する通知部と、を備えることを特徴とする通信システム。
【００６６】
（付記１４）
前記通知部は、前記比較結果を前記第１の通信装置とは異なる第２の通信装置に通知し、
前記第２の通信装置は、前記通知部からの通知に基づいて前記第１の通信装置に利用制限命令を送信するか否かの判断を行う利用制限判断部をさらに有し、
前記第１の通信装置は、前記第２の通信装置からの利用制限命令を受信して前記第１の通信装置の利用制限を行う利用制限部を有する、付記１３に記載の通信システム。
【００６７】
（付記１５）
記憶部を有する特定パターン通知装置と第２の通信装置と通信可能な通信装置であって、
画像を表示する表示部と、
前記表示部に表示される画像をキャプチャーした画像に関する情報を取得する取得部と、
前記取得部にて取得した情報の解析結果から前記記憶部に記憶されている特定パターンに対応するパターンが検知された場合に、前記第２の通信装置からの利用制限命令に基づいて当該通信装置の利用制限を行うことを特徴とする通信装置。
【００６８】
（付記１６）
記憶部を有する特定パターン通知装置と第１の通信装置と通信可能な通信装置であって、
前記特定パターン通知装置からの前記第１の通信装置の表示部に表示される画像をキャプチャーした画像に関する情報と前記記憶部に記憶されている情報との比較結果の通知に基づいて、前記第１の通信装置に利用制限命令を送信するか否かの判断を行う利用制限判断部を有することを特徴とする通信装置。
【００６９】
（付記１７）
第１及び第２の通信装置と通信可能な特定パターン通知装置であって、
所定の文字列または画像に対応する情報を記憶する記憶部と、
前記第１の通信装置から受信した前記第１の通信装置の表示部に表示される画像をキャプチャーした画像に関する情報を解析する解析部と、
前記解析部による解析結果と前記記憶部に記憶されている情報とを比較する比較部と、
前記比較部による比較結果を前記第２の通信装置に通知する通知部と、を有することを特徴とする特定パターン通知装置。
【００７０】
（付記１８）
第１の通信装置と前記第１の通信装置とは異なる第２の通信装置とを用いた通信方法であって、
前記第２の通信装置にて行われ、前記第１の通信装置の表示部に表示される画像をキャプチャーした画像に関する情報から特定のパターンが検知された場合に、前記第１の通信装置に利用制限命令を送信するか否かの判断を行う利用制限判断ステップと、
前記第１の通信装置にて行われ、前記利用制限判断ステップにおける判断の結果送信された利用制限命令に基づいて前記第１の通信装置の利用制限を行う利用制限ステップと、を有することを特徴とする通信方法。
【符号の説明】
【００７１】
１    表示部
２    記憶部
３    取得部
４    解析部
５    比較部
６、６ａ    通知部
７    取得判定部
８    利用制限部
９    利用制限判断部
１０、１１、１００、２００、３００    通信装置
２０    特定パターン通知装置
４０    解析装置
５０    比較装置
６０    通知装置
４００、４００ａ、５００    通信システム
【図１】
2015056136.tif 000003
【図２】
2015056136.tif 000004
【図３】
2015056136.tif 000005
【図４】
2015056136.tif 000006
【図５】
2015056136.tif 000007
【図６】
2015056136.tif 000008
【図７】
2015056136.tif 000009
【図８】
2015056136.tif 000010